(57)【特許請求の範囲】
【請求項１】
ランナーボディ（１６）で支持されるローラ軸（１８）と、ローラ軸（１８）でベアリング（２０）を介して遊転自在に支持される左右一対のローラ（１７・１７）とを含む吊り車型のランナーであって、
各ベアリング（２０）が、ローラ（１７）の内面に設けた環状のボール溝（２１）と、ローラ軸（１８）に外嵌装着した内輪体（２２）と、ボール溝（２１）と内輪体（２２）との間に装着した一群のボール（２３）とを含むアンギュラ型のボールベアリングであり、
プラスチック成形品からなるローラ（１７）に、ボール溝（２１）と軸通口（２５）とが一体に成形されており、
内輪体（２２）が、ローラ軸（１８）に外嵌する筒軸部（２８）と、筒軸部（２８）に連続してベルマウス状に張り出されたボール受部（２９）とを一体に備えたプレス成形部品で形成してあり、
ボール溝（２１）は、ボール（２３）の球面を受け入れる円弧面で形成し、その円弧面の始終端と湾曲中心を結ぶ線で挟まれる角度を鈍角とすることにより、軸通口（２５）との隣接隅部に規制部（２６）を備えており、
各ローラ（１７・１７）を支持するベアリング（２０・２０）は、アンギュラー軸線（Ｐ）どうしが互いに逆向きに傾斜する状態で配置してあることを特徴とする吊り車型のランナー。  
【発明の詳細な説明】
【０００１】
【発明の属する技術分野】
この発明は、戸パネルを吊り下げ支持する吊り車型のランナーに関する。
【０００２】
【従来の技術】
この種のランナーは折り戸に適用されることが多く、例えば実公平８−７００６号公報や同８−７００８号公報等にみることができる。折り戸の場合には、折り戸ヒンジで連結された戸パネルを折りたたむとき、隣接する戸パネルのそれぞれが、ガイドレールの一側方へ大きく突出するので、ランナーに大きな傾動モーメントが作用する。そのため、ランナーはガイドレールの内部で横ずれし、あるいは蛇行し、ローラーを支持するランナーボディがレール開口に当って異常音を発生することがある。
【０００３】
ランナーの移動を円滑化し、さらに折り戸開閉時のランナーの横ずれや蛇行を防ぐために、従来は図７に示すようにローラ４０とローラ軸４１との間にボールベアリング４２を配置して、傾動モーメントに基づく荷重を分散できるようにしている。ボールベアリング４２は、内輪４３と、ローラ４０にインサート固定される外輪４４と、内外両輪の間に装填される鋼球４５と、プラスチック成形品からなるリテーナ４６などで構成してある。
【０００４】
【発明が解決しようとする課題】
上記のようにボールベアリングを使用するランナーによれば、折り戸開閉時のランナーの横ずれや蛇行をある程度は軽減できるものの、ベアリング型式がラジアル型であるため、戸重量が一定値を越えるような場合にランナーが横ずれしやすいうえ、長期使用時に荷重が集中する側のローラの外輪が偏摩耗して、異常音を生じやすい。
【０００５】
外輪をローラ本体にインサート固定する必要上、市販の安価なボールベアリングをそのまま使用することができない。従って、ベアリング構成部品の全てを加工し、あるいは購入したうえで組み付ける必要があり、このことがランナーの全体コストを押し上げる要因にもなっていた。
【０００６】
この発明の目的は、ランナーに偏荷重が作用する場合にも、ランナーの横ずれ等を確実に防止でき、しかもローラの軸支構造を簡素化して全体コストを大幅に削減できる、吊り車型のランナーを提供することにある。
この発明の他の目的は、戸パネルの開閉時に大きな傾動モーメントが作用する折り戸に好適な、吊り車型のランナーを提供することにある。
【０００７】
【課題を解決するための手段】
この発明のランナーは、ランナーボディ１６で支持されるローラ軸１８と、ローラ軸１８でベアリング２０を介して遊転自在に支持される左右一対のローラ１７・１７とを含む吊り車型のランナーを対象とする。各ベアリング２０は、ローラ１７の内面に設けた環状のボール溝２１と、ローラ軸１８に外嵌装着した内輪体２２と、ボール溝２１と内輪体２２との間に装着した一群のボール２３とを含むアンギュラ型のボールベアリングである。プラスチック成形品からなるローラ１７に、ボール溝２１と軸通口２５とが一体に成形されており、内輪体２２が、ローラ軸１８に外嵌する筒軸部２８と、筒軸部２８に連続してベルマウス状に張り出されたボール受部２９とを一体に備えたプレス成形部品で形成してあり、ボール溝２１は、ボール２３の球面を受け入れる円弧面で形成し、その円弧面の始終端と湾曲中心を結ぶ線で挟まれる角度を鈍角とすることにより、軸通口２５との隣接隅部に規制部２６を備えており、各ローラ１７・１７を支持するベアリング２０・２０は、アンギュラー軸線Ｐどうしが互いに逆向きに傾斜する状態で配置してあることを特徴とする。
【００１０】
【作用および発明の効果】
ローラ１７を支持するベアリング２０をアンギュラ型のベアリングとして構成するので、ランナーに偏荷重が作用してスラスト分力を生じたとしても、これをベアリングで受け止めて減殺できる。従って、偏荷重を受けたランナーがガイドレール２の内部で横ずれし、あるいは蛇行するのを阻止でき、戸パネル１の開閉、とくに折り戸の開閉を軽快に行える。ローラ１７に設けたボール溝２１と、内輪体２２、および両者２１・２２間に装着される一群のボール２３とでベアリング２０を構成するので、従来のベアリングに比べて構成部品点数が減り、その分だけベアリング２０の製作コストを削減できる。例えば、合計４個のローラ１７を備えているランナーにおいては、その全体コストを著しく削減できる。
【００１１】
プラスチック成形品であるローラ１７にボール溝２１を一体に形成し、さらに内輪体２２をベルマウス状のプラスチック成形部品で形成したベアリング２０によれば、ベアリング２０の製作コストをさらに削減してランナーの全体コストを減少できる。
【００１２】
ランナーボディ１６の左右にローラ１７・１７を配置するランナーにおいて、各ローラ１７・１７を支持するベアリング２０・２０のアンギュラー軸線どうしを互いに逆向きに傾斜させると、各ベアリング２０・２０にラジアル荷重が作用する使用状況において、個々のベアリング２０・２０に生じるスラスト分力を互いに相殺させて、ランナーを直進させることができる。
【００１３】
【実施例】
図１ないし図４はこの発明に係るランナーを折り戸に適用した実施例を示す。図２において、符号１は折り戸を構成する戸パネル、２はランナーを移行案内するガイドレールである。図示していないが、戸パネル１の下端には下部ランナー、あるいは振れ止め具が設けてあり、これを床面等に設置したガイドレールで移行案内している。また、隣接する戸パネル１は折り戸ヒンジで折りたたみ自在に連結してある。ランナーは、戸パネル１に固定される取付部３と、ガイドレール２内に組み込まれる走行部４と、取付部３と走行部４とを連結する吊軸５などで構成する。
【００１４】
取付部３は戸パネル１用の吊持高さ調整機構を兼ねており、図２および図３に示すように筒内面にねじが形成してある雌ねじ体７と、これに上方からねじ込まれる筒軸状の調整ねじ８と、雌ねじ体７を戸パネル１に固定保持するセット金具９などで構成する。雌ねじ体７の上端には四角形のフランジ１０が形成され、筒壁の下端には回り止め用の溝１１が形成されている。セット金具９は逆Ｌ字状のプレス成形部品からなり、戸パネル１のセット穴に装填した雌ねじ体７を抜け止め保持し、さらにフランジ１０の周面を受け止めて回り止め保持する。セット金具９はビスで戸パネル１に締結固定する。
【００１５】
調整ねじ８は、ねじ軸の上端に六角形の操作部１２を一体に形成したダイキャスト成形品からなり、その軸心に沿って吊軸５用の通し穴が上下貫通状に形成してある。ねじ軸の下端の対向周面の２個所には、台形状の凹部１３が切り欠き形成してある。調整ねじ８に吊軸５を下方から挿通した状態で、ねじ軸をセット金具９の上面側から雌ねじ体７にねじ込むことにより、調整ねじ８を雌ねじ体７と一体化する。吊軸５の下端には、調整ねじ８の下端面を受け、さらに凹部１３と係合する爪片１４が設けてある。戸パネル１の重量は、雌ねじ体７と調整ねじ８、および爪片１４を介して吊軸５へと伝達される。従って、吊軸５の上端をランナーボディ１６に挿通し、その上端をかしめることにより、戸重量をランナーで支持できる。なお、凹部１３と係合する爪片１４は、調整ねじ８の緩み回転を規制するために設けてある。
【００１６】
走行部４は、プラスチック製のランナーボディ１６と、その移動方向の前後左右に配置した４個のローラ１７と、これらのローラ１７を軸支する前後一対のローラ軸１８とからなり、先に述べたように吊軸５を介して取付部３と一体化してある。吊軸５とランナーボディ１６とは自由に相対回転できる。
【００１７】
ランナーの移動を円滑化し、さらに折り戸開閉時のランナーの横ずれや蛇行を防ぐために、各ローラ１７はベアリング２０を介してローラ軸１８で遊転自在に軸支する。また、ベアリング２０はアンギュラ型のベアリングとして構成し、ランナーに作用する偏荷重に基づくスラスト力を減殺する。
【００１８】
図１において、ベアリング２０は、ローラ１７を外輪体に利用して構成してあり、ローラ１７の内面に設けた環状のボール溝２１と、ローラ軸１８に外嵌する内輪体２２と、両者２１・２２の間に装填される一群のボール（鋼球）２３とで構成する。ローラ１７は、例えばポリアセタールに代表される、耐摩耗性に富むプラスチック材で形成し、その内面にボール装填穴２４に連続するボール溝２１と、軸通口２５を一体に形成する。ボール溝２１はボール２３の球面を受け入れる円弧面で形成し、その円弧面の始終端と湾曲中心を結ぶ線で挟まれる角度を鈍角とすることによって、軸通口２５との隣接隅部に規制部２６を備えている。この規制部２６は、一群のボール２３をボール溝２１に装填するとき、各ボール２３が軸通口２５へ落下するのを防ぐために設けてある。
【００１９】
内輪体２２は、ローラ軸１８に外嵌する筒軸部２８と、筒軸部２８に連続してベルマウス状に張り出されたボール受部２９とを一体に備えたプレス成形部品からなり、ボール受部２９の外面の湾曲隅部を転動面３０にして、これでボール２３を受け止める。先に述べたように、ローラ１７のボール溝２１に１２個のボール２３を装填した後、筒軸部２８の側を始端にして内輪体２２をボール装填穴２４に差し込み装填し、さらに筒軸部２８の端縁の一部をかしめ処理することにより、ローラ１７と、ボール２３の一群と、内輪体２２を一個のユニット部品として一体化できる。かしめ部分を符号３２で示す。この組み付け状態において、ボール２３とボール溝２１、およびボール２３と転動面３０の、それぞれの接触点どうしを結ぶ線（アンギュラー軸線）Ｐは、ローラ軸１８の軸中心線に対して非直交状に傾斜している。従って、ベアリング２０にラジアル荷重が作用すると、スラスト分力を生じる。
【００２０】
上記のように、ベアリング２０に作用するスラスト分力をランナーボディ１６の左右のローラ１７どうしで相殺するために、ランナーボディ１６の右方のローラ１７と左方のローラ１７を支持するベアリング２０・２０は、それぞれアンギュラー軸線Ｐが互いに逆向きに傾斜する状態で配置する（図１参照）。つまり、内輪体２２のボール受部２９が、常にローラ１７の外側方を指向するように各ローラ１７をランナーボディ１６に組む。ローラ軸１８は、一方の内輪体２２とランナーボディ１６に設けた貫通穴３１を順に挿通した後、他側方のローラ１７の内輪体２２に筒軸部２８の側から挿通されて、その軸端をかしめ処理することにより、各ローラ１７とランナーボディ１６とを一体化する。
【００２１】
上記のように、アンギュラー型のベアリング２０を介して各ローラ１７を支持すると、戸パネル１がガイドレール２の一側方へ大きく突出して、ランナーに大きな傾動モーメントが作用する場合にも、ベアリング２０自体がラジアル兼スラストベアリングとして機能し、傾動モーメントに基づくスラスト力を一群のボールで分散支持できるので、ランナーが横ずれし、あるいは蛇行するのを防止できる。ベアリング２０の構成部品が、外輪体を兼ねるローラ１７と、内輪体２２と、ボール２３の３種のみに限られるので、従来のベアリングに比べてベアリング２０の製作コストを著しく減少でき、ランナーの全体コストを削減できる。図７に示す従来のベアリングに比べて、その単価を概ね半減できる。
【００２２】
図５はベアリング２０に関する本発明の別実施例を示す。そこでは、ローラ１７のボール装填穴２４からボール溝２１にわたって、プレス成形したりリング状の外輪体３３をインサート固定して、これでボール２３を受けるようにした。このベアリング２０は、ランナーに作用する荷重が大きい場合に対応したものであって、金属製の外輪体３３を用いることにより、ボール２３の転がり抵抗を軽減し、さらに耐磨耗性を増強できる。
【００２３】
図６はローラ１７の軸支構造を変更した本発明の更に異なる別実施例を示す。そこでは、大径の軸部１８ａと、その両端に設けた小径のローラ軸部１８ｂ・１８ｂとでローラ軸１８を構成し、内輪体２２の筒軸部２８の軸端面を先の軸部１８ｂ・１８ｂ間の段壁１８ｃで受け止めて、各ローラ軸部１８ｂの軸端をかしめ処理することによって、ローラ１７とローラ軸１８を一体化することとした。
【００２４】
上記の実施例以外に、この発明のランナーは、ランナーボディ１６の左右両側に、ローラ１７を一個ずつ配置した形態を採ることができる。必要があれば、ランナーボディ１６の左右いずれか一側に、複数個のローラ１７を配置するランナーであってもよいが、この場合にはスラスト分力を相殺するために、隣接するローラ１７を左右反転状に配置する。ベアリング２０は、プラスチック製のリテーナで各ボール２３が分離保持される形態であってもよい。この発明は、偏荷重が作用する引き戸用のランナーにも適用できる。ランナーの取付部の構造は実施例以外の構造であってもよい。
【図面の簡単な説明】
【図１】ランナーの走行部の縦断面図である。
【図２】ランナーの戸パネルへの取付構造を示す縦断面図である。
【図３】ランナー構成部品を分解した状態の側面図である。
【図４】ベアリングの断面図である。
【図５】ベアリングの別実施例を示す断面図である。
【図６】ローラの軸支構造に関する別実施例を示す断面図である。
【図７】従来のベアリングの断面図である。
【符号の説明】
２  ガイドレール
１６  ランナーボディ
１７  ローラ
１８  ローラ軸
２０  ベアリング
２１  ボール溝
２２  内輪体
２３  ボール
【図１】
0004128679.tif 000002
【図２】
0004128679.tif 000003
【図３】
0004128679.tif 000004
【図４】
0004128679.tif 000005
【図５】
0004128679.tif 000006
【図６】
0004128679.tif 000007
【図７】
0004128679.tif 000008